(57)【要約】【課題】本発明の課題は、コネクタベースのコネクタピンにピン番号の表示を付加し、機能別のブロックごとに色分けすることにより、作業者の作業効率向上と作業ミスをなくすことができるインターフェースパネルのコネクタベースを提供することにある。【解決手段】本発明は、自動試験器に用いるインターフェースパネルのコネクタベースにおいて、コネクタベースの各コネクタピンに表示されるピン番号と、前記各コネクタピンを機能別に区画し、区画毎に色分けされた色分け部とを具備することを特徴とするものである。【選択図】図３
2011222362.tif 000002
【特許請求の範囲】
【請求項１】
自動試験器に用いるインターフェースパネルのコネクタベースにおいて、
コネクタベースの各コネクタピンに表示されるピン番号と、
前記各コネクタピンを機能別に区画し、区画毎に色分けされた色分け部と
を具備することを特徴とするインターフェースパネルのコネクタベース。
【発明の詳細な説明】
【技術分野】
【０００１】
本発明は、例えば目標探知レーダ／通信装置等の構成品を自動的に試験する自動試験器に用いるインターフェースパネル（以下ＩＦＰという）のコネクタベースに係り、特にコネクタベースへのコネクタピンのピン番号表示及び機能ブロック色分け表示に関するものである。
【背景技術】
【０００２】
図４は通常の自動試験器の使用例を示す構成説明図である。図４において、１１は自動試験器、１２は第１のＩＦＰ、１３は第２のＩＦＰ、１４は結合器、１５はケーブル、１６は被試験体である。
【０００３】
図４に示すように、自動試験器１１の前面には第１のＩＦＰ１２及び第２のＩＦＰ１３が設けられ、第１のＩＦＰ１２又は第２のＩＦＰ１３には結合器１４が取り付け及び取り外しされる。結合器１４はケーブル１５により被試験体１６に接続される。結合器１４を第１のＩＦＰ１２又は第２のＩＦＰ１３に取り付けることにより、被試験体１６が自動試験器１１に接続され、自動試験器１１で被試験体１６を自動的に試験することができる。このように、第１のＩＦＰ１２又は第２のＩＦＰ１３は、被試験体１６を自動試験器１１で試験する際、自動試験器１１と結合器１４間を接続するコネクタ部であり、結合器１４を第１のＩＦＰ１２又は第２のＩＦＰ１３に取り付けることによって、一度に１台あたり全５２８ピンの接続を確立することが可能である。
【０００４】
図５（ａ），（ｂ）は従来のインターフェースパネルを示す正面図、側面図である。図５（ａ），（ｂ）に示すように、例えば目標探知レーダ／通信装置等の構成品を自動的に試験する自動試験器に用いる第１のＩＦＰ１２にはコネクタベース１７が設けられ、コネクタベース１７には５２８ピンという多数のコネクタピン１８が配列されて設けられる。コネクタベース１７の５２８ピンよりなるコネクタピン１８は、それぞれに対してピン名称が定められているが、表示の部類は一切なかった。このため、コネクタベース１７については、試験のトラブルシュートを実施する際、信号観測するコネクタピン１８の特定に時間を要していた。コネクタピン１８の場所を特定するには別資料によってコネクタピンの行数・列数から場所を把握し、コネクタベース１７で同数のコネクタピン１８を数えなければならなかった。その為、目的とするコネクタピン１８の特定までに相当の時間を要していた。また、同じ形状のコネクタピン１８が並んでいるため、間違ったコネクタピン１８の計測をしてしまい無駄な作業が生じることがあった。
【先行技術文献】
【特許文献】
【０００５】
【特許文献１】特表２００６−５０１９２５号公報
【発明の概要】
【発明が解決しようとする課題】
【０００６】
本発明が解決しようとする課題は、コネクタベースのコネクタピンにピン番号の表示を付加し、機能別のブロックごとに色分けすることにより、作業者の作業効率向上と作業ミスをなくすことができるインターフェースパネルのコネクタベースを提供することにある。
【課題を解決するための手段】
【０００７】
上記の課題を解決するために、本発明は、自動試験器に用いるインターフェースパネルのコネクタベースにおいて、コネクタベースの各コネクタピンに表示されるピン番号と、前記各コネクタピンを機能別に区画し、区画毎に色分けされた色分け部とを具備することを特徴とするものである。
【発明の効果】
【０００８】
本発明に係るインターフェースパネルのコネクタベースは、目的とするコネクタピンに到達するまでの時間短縮と間違いの根絶の効果を奏する。
【図面の簡単な説明】
【０００９】
【図１】本発明の実施形態に係るインターフェースパネルのコネクタベースを示し、（ａ），（ｂ）はコネクタベースの左半分を示す正面図及び下面図、（ｃ），（ｄ）はコネクタベースの右半分を示す正面図及び下面図である。
【図２】本発明の実施形態に係るインターフェースパネルのコネクタベースの左半分の印刷イメージを示す説明図である。
【図３】本発明の実施形態に係るインターフェースパネルのコネクタベースの一部を示す拡大正面図である。
【図４】通常の自動試験器の使用例を示す構成説明図である。
【図５】（ａ），（ｂ）は従来のインターフェースパネルを示す正面図、側面図である。
【発明を実施するための形態】
【００１０】
以下、本発明の実施の形態について、詳細に説明する。
【００１１】
図１は本発明の実施形態に係るインターフェースパネルのコネクタベースを示し、（ａ），（ｂ）はコネクタベースの左半分を示す正面図及び下面図、（ｃ），（ｄ）はコネクタベースの右半分を示す正面図及び下面図である。図１（ａ）〜（ｄ）において、２１Ｌは例えば目標探知レーダ／通信装置等の構成品の自動試験器で用いるＩＦＰに設けられる左半分のコネクタベース、２１Ｒは例えば目標探知レーダ／通信装置等の構成品の自動試験器で用いるＩＦＰに設けられる右半分のコネクタベース、２２はコネクタベース２１Ｌ，２１Ｒに設けられたコネクタピンである。
【００１２】
図１（ａ），（ｂ）に示すように、左半分のコネクタベース２１Ｌにはコネクタピン２２が２２列、１２行の２６４ピンが突出して設けられる。また、図１（ｃ），（ｄ）に示すように、右半分のコネクタベース２１Ｒにはコネクタピン２２が２２列、１２行の２６４ピンが突出して設けられる。したがって、コネクタベース２１Ｌ，２１Ｒは全体で５２８ピンという多数のコネクタピン２２で構成されている。
【００１３】
図２は本発明の実施形態に係るインターフェースパネルのコネクタベースの左半分の印刷イメージを示す説明図である。すなわち、図１（ａ），（ｂ）に示す左半分のコネクタベース２１Ｌにはコネクタピン２２が２２列、１２行の２６４ピンあるので、１〜２２列、１〜６行の１３２ピンにはＸＤ１〜ＸＤ１３２のピン番号の表示をすると共に、１〜２２列、７〜１２行の１３２ピンにはＸＤ２４１〜ＸＤ３７２のピン番号の表示をする。
【００１４】
また、ピン番号ＸＤ１〜ＸＤ１３２のコネクタピン２２とピン番号ＸＤ２４１〜ＸＤ３７２のコネクタピン２２とは別の機能として動作するように構成し、ピン番号ＸＤ１〜ＸＤ１３２のコネクタピン２２とピン番号ＸＤ２４１〜ＸＤ３７２のコネクタピン２２とを区画し、ピン番号ＸＤ１〜ＸＤ１３２のコネクタピン２２には薄い黄色の色を付けた色分け部を設けると共に、ピン番号ＸＤ２４１〜ＸＤ３７２のコネクタピン２２には濃い黄色の色を付けた色分け部を設けて（図２では斜線で表示）、色分けによる識別ができるようにする。
【００１５】
図３は本発明の実施形態に係るインターフェースパネルのコネクタベースの一部を示す拡大正面図である。図３に示すように、コネクタベース２１Ｌには各コネクタピン２２の下にピン番号として例えばＸＤ１７，ＸＤ１８，ＸＤ２３，ＸＤ２４，ＸＤ２９，ＸＤ３０，ＸＤ３５，ＸＤ３６，ＸＤ２５３，ＸＤ２５４，ＸＤ２５９，ＸＤ２６０，ＸＤ２６５，ＸＤ２６６，ＸＤ２７１，ＸＤ２７２が表示されている。
【００１６】
また、ピン番号ＸＤ１７，ＸＤ１８，ＸＤ２３，ＸＤ２４，ＸＤ２９，ＸＤ３０，ＸＤ３５，ＸＤ３６と、ピン番号ＸＤ２５３，ＸＤ２５４，ＸＤ２５９，ＸＤ２６０，ＸＤ２６５，ＸＤ２６６，ＸＤ２７１，ＸＤ２７２とを区画し、ピン番号ＸＤ１７，ＸＤ１８，ＸＤ２３，ＸＤ２４，ＸＤ２９，ＸＤ３０，ＸＤ３５，ＸＤ３６のコネクタピン２２には薄い黄色の色を付けた色分け部２３を設けると共に、ピン番号ＸＤ２５３，ＸＤ２５４，ＸＤ２５９，ＸＤ２６０，ＸＤ２６５，ＸＤ２６６，ＸＤ２７１，ＸＤ２７２のコネクタピン２２には濃い黄色の色を付けた色分け部２４を設けて（図３では斜線で表示）、色分けによる識別ができるようにする。
【００１７】
尚、上記実施形態では左半分のコネクタベース２１Ｌについて説明したが、右半分のコネクタベース２１Ｒについても同様に実施することができる。
【００１８】
以上のように、コネクタベースのコネクタピンにピン番号の表示及び機能別の区画を設け、区画毎に異なる色を付ける事で識別を容易にし、被試験物の不具合探索を行うときには、信号観測するコネクタピンをすばやく見つけることができる。
【００１９】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００２０】
１１…自動試験器、１２…第１のＩＦＰ、１３…第２のＩＦＰ、１４…結合器、１５…ケーブル、１６…被試験体、１７…コネクタベース、１８…コネクタピン、２１Ｌ…左半分のコネクタベース、２１Ｒ…右半分のコネクタベース、２２…コネクタピン、２３…薄い黄色の色を付けた色分け部、２４…濃い黄色の色を付けた色分け部。
【図１】
2011222362.tif 000003
【図２】
2011222362.tif 000004
【図３】
2011222362.tif 000005
【図４】
2011222362.tif 000006
【図５】
2011222362.tif 000007